(57)【特許請求の範囲】
【請求項１】
口部の外側に軸線周りに間隔を置いて形成された複数のねじ部を有する容器本体と、当該容器本体のねじ部に取り外し可能に螺合する複数のねじ部が形成された蓋体とを備える多条ねじ式開閉容器であって、
容器本体側のねじ部と、蓋体側のねじ部との双方の接触部分に、蓋体が自重によって締まることを防止する抵抗手段を設け、
容器本体の口部に、蓋体を容器本体に対していっぱいまで締めると蓋体のねじ部の内周側側面に形成された窪みに嵌合して蓋体の緩みを防止する戻り防止用の突起を設け、
前記抵抗手段は、容器本体側のねじ部の上面に形成された交互に連続する複数の凸部及び凹部と、蓋体側のねじ部の下面に形成された１つの凸部との組み合わせであることを特徴とする多条ねじ式開閉容器。
【発明の詳細な説明】
【技術分野】
【０００１】
本発明は、口部の外側に形成された複数のねじ部を有する容器本体と、この容器本体のねじ部に取り外し可能に螺合する複数のねじ部が形成された蓋体とを備える多条ねじ式開閉容器に関するものである。
【背景技術】
【０００２】
従来の多条ねじ式開閉容器には、ねじ部を異なるリード角で形作ることで、同じリード角のねじ部ではねじ結合する一方、異なるリード角のねじ部では圧入を伴うねじ込み移動を行うことにより、蓋体を小さな回転力で締結するとともに、その締結力を安定して得られるようにしたものがある（例えば、特許文献１参照）。
【先行技術文献】
【特許文献】
【０００３】
【特許文献１】特許第４２６２２３９号公報
【発明の概要】
【発明が解決しようとする課題】
【０００４】
こうした従来の多条ねじ式開閉容器によれば、使用中に容器本体から外した蓋体を一時的に容器本体に載せ置くことで、別の作業を行うことができるものの、ねじ部の構造（形状）が複雑で、当該構造がねじ部の全長に亘って形成されていることから、蓋体を締めるときに要する力も、締め込み動作全体としてみれば、結果的に大きくなってしまう問題がある。
【０００５】
本発明の目的とするところは、構造が簡素で、締め込みに要する力の上昇を抑えつつ、容器本体に載せ置いた蓋体を自重によって締結させることがない、使い勝手の良好な新規の多条ねじ式開閉容器を提供することにある。
【課題を解決するための手段】
【０００６】
本発明は、口部の外側に軸線周りに間隔を置いて形成された複数のねじ部を有する容器本体と、当該容器本体のねじ部に取り外し可能に螺合する複数のねじ部が形成された蓋体とを備える多条ねじ式開閉容器であって、
容器本体側のねじ部と、蓋体側のねじ部との双方の接触部分に、蓋体が自重によって締まることを防止する抵抗手段を設け、
容器本体の口部に、蓋体を容器本体に対していっぱいまで締めると蓋体のねじ部の内周側側面に形成された窪みに嵌合して蓋体の緩みを防止する戻り防止用の突起を設け、
前記抵抗手段は、容器本体側のねじ部の上面に形成された交互に連続する複数の凸部及び凹部と、蓋体側のねじ部の下面に形成された１つの凸部との組み合わせであることを特徴とするものである。
【発明の効果】
【０００８】
本発明によれば、容器本体側のねじ部と、蓋体側のねじ部との双方の接触部分に、蓋体が自重によって締まることを防止する抵抗手段を設けたため、蓋体を容器本体に載せ置いても、蓋体の自重によって蓋体が締まることがない。このため、合間に他の作業を行うことができて使い勝手が良い。
【０００９】
また、かかる構成によれば、抵抗手段は、少なくとも、互いのねじ部が接触し合ってねじ付けが開始される部分に設けるだけですむ。これにより、抵抗手段を設けたことに伴い締め込みに要する力が上昇しても、その上昇は小さく抑えることができる。なお、抵抗手段は、上述のとおり、少なくとも、互いのねじ部が接触し合ってねじ付けが開始される部分に設ければよいが、更にねじ付けを行ったときも、予備抵抗が生じるように、更にねじ部に沿って局所的に設けることもできる。
【００１０】
更に、かかる構成によれば、ねじ部そのもの断面形状を異形にする等の必要がない。このため、構造を複雑化させることなく、簡素化を図ることができる。
【図面の簡単な説明】
【００１１】
【図１】本発明の多条ねじ式開閉容器の一形態である、化粧容器を示す斜視図である。
【図２】同形態において、容器本体から蓋体を分離した状態であって、当該蓋体を一部で示す分解図である。
【図３】同形態において、容器本体側のねじ部と蓋体側のねじ部とが係合した状態を、その拡大図とともに示す模式図である。
【図４】同形態において、蓋体を容器本体に締結させた状態を示す半断面図である。
【図５】(a)は図４のＸ−Ｘ断面図であり、(b)は(a)を分離した状態で模式的に示す斜視分解図である。
【図６】図４のＹ−Ｙ断面図である。
【発明を実施するための形態】
【００１２】
以下、図面を参照して、本発明の一形態である化粧容器１を詳細に説明する。
【００１３】
化粧容器１は、図１に示すように、容器本体２と蓋体３からなる。
【００１４】
容器本体２は、図２に示すように、口部２ａの外周面に複数のねじ部（おねじ部）４が螺旋状に形成されている。ねじ部４はそれぞれ、同一のリード角で構成されており、軸線Ｏ周りに間隔を置いて配置されている。また、蓋体３も、その天壁３ａから垂下する周壁３ｂの内周面に複数のねじ部（おねじ部）５が形成されている。ねじ部５もそれぞれ、同一のリード角で構成されており、軸線Ｏ周りに間隔を置いて配置されている。これにより、蓋体３を容器本体２の口部２ａに対して軸線Ｏ周りに回転させることで、蓋体３を容器本体２に締結することができる。なお、図１では、ねじ部４，５の符号は、１つのねじ部にのみに例示的に付し、その他は省略している。
【００１５】
図３に示すように、容器本体側のねじ部４と、蓋体側のねじ部５との接触部分にはそれぞれ、蓋体３が自重によって締まることを防止する抵抗手段Ｒ4，Ｒ5が設けられている。
【００１６】
抵抗手段Ｒ4は、図３の拡大図に示すように、ねじ部４の接触部分に形成された複数の凸部４ｐ及び凹部４ｎからなる。抵抗手段Ｒ5は、同拡大図に示すように、ねじ部５の接触部分に形成された１つの凸部５ｐからなる。ねじ部５の凸部５ｐは、蓋体３を一定の力でねじ込まなければ、ねじ部４の凸部４ｐを乗り越えることができない。これにより、蓋体３は、その自重によって締まることがない。
【００１７】
抵抗手段Ｒ4は、ねじ部４の始端４ａから直近の位置に設けることで、蓋体３の自重によるねじ付けを完全に阻止することができるが、本形態では、抵抗手段Ｒ4を、図３のように、ねじ部４の始端４ａから間隔ΔＣを置いて設けている。これにより、蓋体３は、その自重によって自動的に一定量だけ、軽くねじ付けておくこともできる。
【００１８】
なお、抵抗手段Ｒ4は、ねじ部４の始端４ａから終端４ｂの間の広い範囲に凹凸状に設けられている。また、凸部５ｐ及び凸部４ｐ（又は凹部４ｎ）の寸法（係合力）は、容器の用途や使用者層等を考慮して、適宜、設定することができる。
【００１９】
抵抗手段Ｒ4,Ｒ5を解除するには、例えば、蓋体３を上方から下向きに押し付ければよく、その後のねじ付けについても、更に蓋体３を下向きに押し付けても、蓋体３の自重を利用しても、或いは、従来と同様、使用者が蓋体３を握って軸線Ｏ周りに回してもよい。また、本形態において、蓋体３には、図４に示すように、その天壁３ａから筒部３ｃが垂下している。この筒部３ｃは、蓋体３を下向きに押し付けることにより、或いは、使用者が蓋体３を握って軸線Ｏ周りに回すことにより、同図に示すように、容器本体２に対して蓋体３をいっぱいまで締めると、容器本体２の口部２ａ内側上端に形成された切り欠き２ｆに配置される。筒部３ｃには、シール突起３ｐが設けられている。同様に、天壁３ａにも、周壁３ｂと筒部３ｃとの間にシール突起３ｐが一体に垂下する。
【００２０】
これに対し、容器本体２の口部２ａには、図４に示すように、戻り防止用の突起６が設けられている。蓋体３を容器本体２に対して、上述のとおり、蓋体３を下向きに押し付けることにより、或いは、使用者が蓋体３を握って軸線Ｏ周りに回すことにより、同図に示すように、いっぱいまで締めると、突起６は、図５(a)に示すように、蓋体３のねじ部５に形成された窪み７に嵌合することで、蓋体３の緩みを防止する。突起６は、蓋体３を一定の力で緩めなければ、窪み７から抜け出すことができない。なお、突起６及び窪み７の寸法（係合力）も、容器の用途や使用者層等を考慮して、適宜、設定することができる。なお、図２では、突起６の符号は、１つの突起にのみに例示的に付し、その他は省略している。また、突起６は、少なくとも１ヶ所設ければよい。
【００２１】
更に、容器本体２は、図４に示すように、口部２ａと胴部２ｂとの間のネック部２ｃに、音出し用の振動板８が設けられている。また、蓋体３の周壁３ｂの内周面下端には、図２に示すように、軸線Ｏ周りに間隔を置いて振動板係止部９が設けられている。振動板係止部９は、２つのリブ９ａからなり、その相互間に、隙間９ｂを形成する。隙間９ｂには、図６に示すように、振動板８が蓋体３のねじ込みに伴いリブ９ａを乗り越えることで配置される。これにより、蓋体３のねじ込みに併せて一定の間隔でクリック音（クリック感）を生じさせることができる。なお、図２では、振動板係止部９の符号は、１つの係止部にのみに例示的に付し、その他は省略している。
【００２２】
上述のとおり、本発明によれば、容器本体側のねじ部４と、蓋体側のねじ部５との接触部分にそれぞれ、蓋体３が自重によって締まることを防止する抵抗手段Ｒ4，Ｒ5を設けたため、蓋体３を容器本体２に載せ置いても、蓋体３の自重によって蓋体３が締まることがない。このため、蓋体３を空けたまま、他の作業を行うことができて使い勝手が良い。
【００２３】
また、かかる構成によれば、抵抗手段Ｒ4，Ｒ5は、少なくとも、互いのねじ部４，５が係合し合ってねじ付けが開始される部分に設けるだけですむ。即ち、抵抗手段Ｒ4，Ｒ5は、ねじ部４，５全体に対して局所的に設けることができる。これにより、抵抗手段Ｒ4，Ｒ5を設けたことに伴い締め込みに要する力が上昇しても、その上昇は小さく抑えることができる。
【００２４】
更に、かかる構成によれば、ねじ部４，５そのもの断面形状を異形にする等の必要がない。このため、構造を複雑化させることなく、簡素化を図ることができる。
【００２６】
上述したところは、本発明の一形態を示したにすぎず、特許請求の範囲において、種々の変更を加えることができる。例えば、容器本体２は、胴部２ｂから筒状の脚部２ｄが設けられたものであるが、ボトル形容器等の様々な容器を採用することができる。
【産業上の利用可能性】
【００２７】
本発明は、口部の外側に螺旋状に形成された複数のねじ部を有する容器本体と、当該容器本体のねじ部に取り外し可能に螺合する複数のねじ部が形成された蓋体とを備える多条ねじ式開閉容器であれば、様々なものに適用することができる。
【符号の説明】
【００２８】
１    化粧容器（多条ねじ式開閉容器）
２    容器本体
２ａ  口部
２ｂ  胴部
２ｃ  ネック部
２ｄ  脚部
３    蓋体
３ａ  天壁
３ｂ  周壁
３ｃ  筒部
３ｄ  シール突起
４    ねじ部（容器本体側）
４ｐ  凸部（抵抗手段）
４ｎ  凹部（抵抗手段）
５    ねじ部（蓋体側）
５ｐ  凸部（抵抗手段）
６    戻り防止用の突起
７    戻り防止用の窪み
８    振動板
９    振動板係止部
９ａ  リブ
９ｂ  隙間
Ｒ4   抵抗手段（容器本体側のねじ部）
Ｒ5   抵抗手段（蓋体側のねじ部）
【図１】
0005882022.tif 000002
【図２】
0005882022.tif 000003
【図３】
0005882022.tif 000004
【図４】
0005882022.tif 000005
【図５】
0005882022.tif 000006
【図６】
0005882022.tif 000007